(57)【要約】【課題】振動等による影響が少なく、様々なワインボトルの形状に対応し、ワインボトルのラベルを見やすくし、ワインボトルのデザインを適切にディスプレイすることができ、ワインボトル設置作業が容易で、スペースを有効活用でき、ワインのオリをできるだけ小さくまとめて沈殿させることのできるワインボトル保持具を提供する。【解決手段】ワインボトルを保持するワインボトル保持具であって、ワインボトルのネック部を支持するネック支持部と、ワインボトルの瓶底のくぼみを支持する瓶底支持部と、壁面に装着可能な壁面装着部とを備え、ワインボトルを壁面に対して斜めに保持することを特徴とするワインボトル保持具である。【選択図】  図１
2019154876.tif 000002
【特許請求の範囲】
【請求項１】
ワインボトルを保持するワインボトル保持具であって、ワインボトルのネック部を支持するネック支持部と、ワインボトルの瓶底のくぼみを支持する瓶底支持部と、壁面に装着可能な壁面装着部とを備え、ワインボトルを壁面に対して斜めに保持することを特徴とするワインボトル保持具。
【請求項２】
前記ネック支持部のワインボトルに接触するネック接触点と前記瓶底支持部のワインボトルに接触する瓶底接触点とを結んだ線と、壁面装着時の壁面との交差角度αは、１４度以上かつ６２度以下となるように構成されていることを特徴とする請求項１に記載のワインボトル保持具。
【請求項３】
前記ネック支持部のワインボトルに接触するネック接触点と前記瓶底支持部のワインボトルに接触する瓶底接触点との最短距離をＬ（ｍｍ）とするとき、以下の条件式（１）を満足することを特徴とする請求項１または請求項２に記載のワインボトル保持具。
１６０≦Ｌ≦２２０  ・・・（１）
【請求項４】
前記瓶底支持部のワインボトルに接触する瓶底接触点と前記壁面装着部との最短距離をＴ（ｍｍ）とするとき、以下の条件式（２）を満足することを特徴とする請求項１乃至請求項３に記載のワインボトル保持具。
５０≦Ｔ≦８０    ・・・（２）
【請求項５】
前記ネック支持部はワインボトルのネック部を通すことができる略円形状の穴を備えることを特徴とする請求項１乃至請求項４のいずれかに記載のワインボトル保持具。
【請求項６】
前記穴の直径をＤ（ｍｍ）とするとき、以下の条件式（３）を満足することを特徴とする請求項５に記載のワインボトル保持具。
６０≦Ｄ≦１００  ・・・（３）
【請求項７】
前記ネック支持部はワインボトルのネック部を通すことができる略円形状の穴を備え、前記ネック支持部のワインボトルに接触するネック接触点と前記瓶底支持部のワインボトルに接触する瓶底接触点との最短距離をＬｎ（ｍｍ）、前記瓶底接触点と前記壁面装着部との最短距離をＴｎ（ｍｍ）、前記穴の直径をＤｎ（ｍｍ）とするとき、以下の条件式（４）、（５）、（６）及び（７）を満足することを特徴とする請求項１または請求項２に記載のワインボトル保持具。
ｓ＝３√ｎ                     ・・・（４）
１６０×ｓ≦Ｌｎ≦２２０×ｓ  ・・・（５）
５０×ｓ≦Ｔｎ≦８０×ｓ      ・・・（６）
６０×ｓ≦Ｄｎ≦１００×ｓ    ・・・（７）
但し、
ｎ：通常サイズ（７５０ｍｌ）を１とした時のワインボトルのサイズ、
ｓ：自然数、
である。
【発明の詳細な説明】
【技術分野】
【０００１】
本発明は、ワインボトルを斜めに保持するワインボトル保持具に関する。
【背景技術】
【０００２】
一般的にワインボトルは縦に細長く瓶底が小さい形状が多いので、ワインボトルを通常の水平な棚に立てて置いておくと、ちょっとした揺れで倒れてしまう恐れがある。そこで、従来からワインボトルを保持する道具が用いられてきている。
例えば、特許文献１には図１０で示されているように板部材に設けられた穴にワインボトルのネック部を挿入させることで、ワインボトル全体を保持する発明が記載されている。
【０００３】
しかし、このような従来のものだとワインボトルの一部分でしか保持していないこと、ワインボトルを保持する際に遊びがないことからワインボトル内のワイン容量の変化等によるワインボトル全体の重心位置の変化や地震等による影響で、ワインボトルが外れてしまったり、ワインボトル内のワインが振動の影響を直接受けて品質が落ちてしまったりする懸念があった。また、ワインボトルを横向きに保持する必要があるのでどうしてもワインボトルのラベルが見にくくなっていた。
なお、ワインボトル自体には後述する図４に示すように様々な形状のものが存在するため、ネック部の幅が合わなかったり、ネック部の長さが短かったりして形状によっては対応していないものもあった。
また、ワインボトルを横に寝かせて置いておくと、後述する図１３の（イ）で示すようにオリ１６がワインボトル床側側面に広く沈殿してしまうという問題があった。
【０００４】
また、ワインには数多くの銘柄があり、各銘柄に対応した特徴あるデザインのワインボトルが存在する。例えば、図４に示された代表的なワインボトルの名称はそれぞれａ）ブルゴーニュ型、ｂ）ボックステイル型、ｃ）プロヴァンス型、ｄ）ボルドー型、ｅ）ライン・モーゼル型、ｆ）アルザス型、ｇ）シャンパン型と呼ばれている。
銘柄とともに、このようなワインボトルのデザインがワイン購入時の購入者心理に与える影響はとても大きい。
【０００５】
そこで、店舗等において、ワインボトルを展示する際には、銘柄等を判断するラベルが見やすいか、やワインボトルのデザインが適切にディスプレイされているか、という事が非常に重要なこととなっている。
ここで、図１１は一般的なワインショップ等の店舗でワインボトルを展示している様子を示す図である。この図において、一番床に近い棚１０ではワインボトルを斜めに配置して、上方からワインボトルのラベルを見やすくすることが行われている。他にもラベルを見やすくするためにワインボトルの入った箱をそのまま斜めに傾けて床に配置することも行われている。床から２番目の棚１１、３番目の棚１２及び４番目の棚１３では、側面からラベルを普通に見ることができるので、特にワインボトルを斜めに配置せず通常の棚（平面）の上に配置している。
しかし、４番目の棚１３に配置されたワインボトルと天井との間にはさらにワインボトルを配置することのできるスペース１４があるにも関わらず、ワインボトルを配置しにくかったり、仮にワインボトルを配置してもラベルやワインボトルが見にくくなったりするので、配置されていない。
【０００６】
このように通常、店舗等ではワインボトルを配置する際の作業性やラベル及びワインボトルの見やすさ等を考慮して、上方のスペースにはワインボトルを配置していない。
仮にこのようなスペースに配置する店舗があったとしても、ワインボトルのラベルは見づらく、また、ワインボトルのデザインを適切にディスプレイできないので、店舗の売り上げには貢献するものではなかった。
【０００７】
また、ワインバー等では、一般的に店舗スペースが小さく在庫の置き場所が無かったり、他に商品をディスプレイする場所がなかったりするために、図１２に示すようにわざわざ店舗天井近くの高い位置にワインボトルを配置することがある。しかし、この場合もワインボトルのラベルを下方から見上げるようになるため、非常に見づらいし、ワインボトルのデザインを適切にディスプレイするものではなかった。
【０００８】
また、ワインボトルを長時間直立した状態で置いておくと底の部分にオリ（澱）と呼ばれるワインの成分が沈殿物として現れてくる。ワインをグラスに注ぐ時に、ワインの流動とともにこのオリの部分が広がり、ワインが濁ったり、グラスに侵入したりしてしまうので、ワインボトルでは、図１３（ア）のように瓶底１５の中心をくぼませて、ワインをグラスに注ぐ時に瓶底１５に沈んだオリ１６を舞い上がりにくくしている。
また、このくぼみがあることによって、オリ１６は瓶底の深い部分から沈殿するので、ワインボトルを直立に置いておくと、図１３（ア）に示すようにオリ１６は瓶底にドーナツ状に沈殿する。
【０００９】
ここで、オリはできるだけ小さくまとまって沈殿していることが望ましい。
引用文献２では、ワインボトルの中のオリ１６を上記ドーナッツ状よりもさらに小さくまとまるように、ワインボトル角部およびその近傍に沈殿させることができるワインボトル用ホルダー９が記載されている（図１４（ア）参照）。
【００１０】
しかし、このワインボトル用ホルダー９は単にワインボトルを斜めに立てかけておくものでありワインボトル自体を保持するものではない。すなわち、このホルダーによってワインボトルのネック部が固定されたとしても、ワインボトルの瓶底は固定されていないので、ワインボトル自体は振動等によって簡単に動いてしまう。
【先行技術文献】
【特許文献】
【００１１】
【特許文献１】特開２０１６−１７９１０２号公報
【特許文献２】実用新案登録番号３０１２７９９号
【発明の概要】
【発明が解決しようとする課題】
【００１２】
本発明は上記課題に鑑みてなされたもので、振動等による影響が少なく、様々なワインボトルの形状に対応し、ワインボトルのラベルを見やすくし、ワインボトルのデザインを適切にディスプレイすることができ、ワインボトル設置作業が容易で、スペースを有効活用でき、ワインのオリをできるだけ小さくまとめて沈殿させることのできるワインボトル保持具を提供することを目的とする。
【課題を解決するための手段】
【００１３】
発明者はこのような従来の欠点を補うべく鋭意研究を重ねた結果、本発明に到達したものであって、上記目的達成のため、請求項１の発明のワインボトル保持具は、ワインボトルを保持するワインボトル保持具であって、ワインボトルのネック部を支持するネック支持部と、ワインボトルの瓶底のくぼみを支持する瓶底支持部と、壁面に装着可能な壁面装着部とを備え、ワインボトルを壁面に対して斜めに保持することを特徴とする。
【００１４】
この構成により、ワインボトルのネック部とワインボトルの瓶底にある凹部状のくぼみの２カ所をしっかりと保持することができるので振動の影響を受けにくくなる。また、ワインボトルを保持する際、ワインボトルが斜めに傾いているから、図１４（イ）で示すようにオリは、主に瓶底の片方端一カ所だけに沈殿され、ワインを注ぐときオリの部分が広がらずグラスに侵入しにくくなる。なお、ネック支持部自体はワインボトルのネック部を支持できるものであればどのような形態のものでもよい。
【００１５】
例えば、ネック部を支持する穴状のものであっても、洗濯バサミのようにネック部を掴む形態であってもよい。さらにワインボトルを斜めに保持するので、下方向から見たときに、ワインボトルのラベルが見やすくなり、また、ワインボトルのデザインを適切にディスプレイすることができるようになる。具体的には、図１１及び図１２に示す従来の店舗及びワインバーの様子が本発明のワインボトル保持具を使用することによって、図７及び図８で示すようにワインボトルのラベルを見やすく、ワインボトルのデザインを適切にディスプレイできるようになる。
【００１６】
ここで、本発明のワインボトル保持具はその最下部が壁面の床から１７０ｃｍ以上かつ３００ｃｍ以下の場所に装着されるのが望ましい。床から１７０ｃｍ未満だとワインボトルのラベルが視線よりも下を向いて見づらくなる者が増加し、床から３００ｃｍを超えるとワインボトルを設置する際の作業性が悪くなってしまう。なお、本発明の壁面とは床（地面）に対して略垂直方向に存在する壁の表面のことをいう。
また、本発明においてワインボトルのネック部とは、ワインボトルの注ぎ口を含んだ注ぎ口側の瓶幅が狭い部分をいう。ただし、厳密には特定できないので形状によっては、ワインボトル中間位置から注ぎ口に至るまでの部分であれば本発明のワインボトルのネック部に該当し得る。
【００１７】
請求項２の発明のワインボトル保持具は、前記ネック支持部のワインボトルに接触するネック接触点と前記瓶底支持部のワインボトルに接触する瓶底接触点とを結んだ線と、壁面装着時の壁面との交差角度αが、１４度以上かつ６２度以下となるように構成されていることを特徴とする。
【００１８】
この構成により、様々なデザインのワインボトルを保持することが可能となる。すなわち、図６（２）で示されるようにワインボトルによっては瓶底部分の幅よりもワインボトル中間部分の幅が大きく、ワインボトルの中間部分が壁面に当たって保持することができなくなってしまうものがある。それを回避するために瓶底支持部と壁面との距離を大きくすると、瓶底が壁面から離れるので、下方から見たときにラベルが見にくくなったり、瓶底が目立ってしまうことでワインボトルのデザインを適切にディスプレイできなくなったり、空間を有効に活用できなくなったりする。上記αの範囲であれば、そのようなことはなく、また、ワインボトルの瓶底も壁面から大きく離れることもない。
また、ネック接触点及び瓶底接触点とは、ワインボトル設置時などに一時的に接触する箇所のことではなく、ワインボトル保持時に常時ワインボトルと接触する箇所のことである。
【００１９】
請求項３の発明のワインボトル保持具は、前記ネック支持部のワインボトルに接触するネック接触点と前記瓶底支持部のワインボトルに接触する瓶底接触点との最短距離をＬ（ｍｍ）とするとき、以下の条件式（１）を満足することを特徴とする。
１６０≦Ｌ≦２２０  ・・・（１）
【００２０】
この構成により、特にワインボトルを立てた時のワインボトルの上下方向の長さが違う様々な形状のワインボトルを保持することができる。また、ネック支持部と瓶底支持部とが適切な距離離れるのでワインボトルを設置する際の作業性が良くなる。
【００２１】
請求項４の発明のワインボトル保持具は、前記瓶底支持部のワインボトルに接触する瓶底接触点と前記壁面装着部との最短距離をＴ（ｍｍ）とするとき、以下の条件式（２）を満足することを特徴とする。
５０≦Ｔ≦８０    ・・・（２）
この構成により、ワインボトルの瓶底が壁面に当たらず、様々な形状のワインボトルを適切に設置することができ、また、設置する際の作業性も良くなる。
【００２２】
請求項５の発明のワインボトル保持具は、前記ネック支持部がワインボトルのネック部を通すことができる略円形状の穴を備えることを特徴とする。
【００２３】
この構成により、ネック支持部の略円形状の穴にワインボトルのネック部を下から通し、そのままワインボトルを上に持ち上げて瓶底支持部にワインボトルの瓶底を載せればよく、片手でも容易にワインボトルを設置させることが可能となる。  
また、このような穴による保持には遊びがあるため、外部から振動を受けた際にもその振動を逃がす効果があり、ワインボトルに与える振動の悪影響を抑えることができる。
なお、この穴については、図５（１）のように完全な円でも構わないが、一部欠けた略円形状の穴でもよい。例えば、図５（２）のように構成されていると、ワインボトルをネック支持部の穴の欠けた部分（ネック支持部の側面方向）からでも通すことができる。また、略円形状の穴は必ずしも円形でなくてもよい。例えば、図５（３）のように複数の角を有してもよいし、図５（４）のように複数の凹部を有してもよい。図５（３）の場合には角部でワインボトルのネック部をよりしっかりと保持することができる。また、図５（４）の場合には凹部の位置によってワインボトルの傾き角度を異ならせることができるので、ワインボトルの傾き角度を調整することができる。
【００２４】
請求項６の発明のワインボトル保持具は、前記穴の直径をＤ（ｍｍ）とするとき、以下の条件式（３）を満足することを特徴とする。
６０≦Ｄ≦１００  ・・・（３）
この構成により、特にワインボトルを立てた時のワインボトルのネック部の上下方向の位置が異なる様々な形状のワインボトルを保持することができる。また、適切な穴の大きさとなるのでワインボトルを設置する際の作業性が良い。
【００２５】
請求項７の発明のワインボトル保持具は、前記ネック支持部がワインボトルのネック部を通すことができる略円形状の穴を備え、前記ネック支持部のワインボトルに接触するネック接触点と前記瓶底支持部のワインボトルに接触する瓶底接触点との最短距離をＬｎ（ｍｍ）、前記瓶底接触点と前記壁面装着部との最短距離をＴｎ（ｍｍ）、前記穴の直径をＤｎ（ｍｍ）とするとき、以下の条件式（４）、（５）、（６）及び（７）を満足することを特徴とする。
ｓ＝３√ｎ                     ・・・（４）
１６０×ｓ≦Ｌｎ≦２２０×ｓ  ・・・（５）
５０×ｓ≦Ｔｎ≦８０×ｓ      ・・・（６）
６０×ｓ≦Ｄｎ≦１００×ｓ    ・・・（７）
但し、
ｎ：通常サイズ（７５０ｍｌ）を１とした時のワインボトルのサイズ、
ｓ：自然数、
である。
【００２６】
前述の条件式（１）、（２）及び（３）は、一般的によく用いられる通常サイズ（７５０ｍｌ）のワインボトルについてのものであったが、この構成により、通常サイズだけでなく、殆どのサイズのものについても適切な保持が可能となる。
【発明の効果】
【００２７】
以上詳述したように、本発明によれば、振動等による影響が少なく、様々なワインボトルの形状及びサイズに対応し、ワインボトルのラベルを見やすくし、ワインボトルのデザインを適切にディスプレイすることができ、ワインボトル設置作業が容易で、スペースを有効活用でき、ワインのオリをできるだけ小さくまとめて沈殿させることができ、デザイン的にも優れたワインボトル保持具を提供することができるなどの効果を有する。
【図面の簡単な説明】
【００２８】
【図１】本発明を説明する概略構成図（斜視図）である。
【図２】本発明（実施例１）の右側側面図である（左側側面図は右側側面図と対称なので省略した）。
【図３】本発明（実施例１）の低面図（Ａ）、平面図（Ｂ）、正面図（Ｃ）及び背面図（Ｄ）である。
【図４】ワインボトルの多様な形状及びネック支持部との位置関係の概略説明図である。
【図５】本発明のネック支持部における穴形状の概略説明図である。
【図６】本発明のワインボトル保持時における傾斜角度の概略説明図である。
【図７】店舗等において本発明を利用する際の概略説明図である。
【図８】ワインバー等において本発明を利用する際の概略説明図である。
【図９】本発明（実施例２）を説明する概略構成図である。
【図１０】従来のワインボトル保持具（引用文献１）を説明する概略構成図である。
【図１１】従来の店舗におけるワインボトル配置の説明図である。
【図１２】従来のワインバーにおけるワインボトル配置の説明図である。
【図１３】ワインボトルのオリを説明する概略説明図である（断面図）。
【図１４】従来のワインボトル用ホルダー（引用文献２）を説明する概略構成図である（（イ）に関して断面図）。
【発明を実施するための形態】
【００２９】
以下、本発明の実施例を図面に基づき説明する。なお、本発明は本実施例の記載内容に限られるものではない。特に、本実施例はネック支持部に備えられた穴が略円形状であるもの、及び瓶底支持部の先端が壁面側に巻かれたものに関するものであるが、本発明はそれだけではなく、ワインボトルのネック部及び瓶底を支持することができればいかなる形態も含まれる。
【実施例１】
【００３０】
図１〜図３は本発明の実施例１の概略構成図である。ただし、説明しやすいように壁面、ネジやその他説明に不要な箇所は省略している。なお、特に説明のない箇所については、従来のものと同様の構成及び作用である。図１はワインボトルを支持している状態を示すものである。なお、図で示す破線は概略断面図等を示している。
【００３１】
図１〜図３に示すとおり、ワインボトル保持具１は、瓶底支持部２と、ネック支持部３と、壁面装着部４を備えている。
瓶底支持部２は細く上方に突出するように構成され、瓶底支持部２の先端近傍にある瓶底接触点Ｐがワインボトルの瓶底のくぼみに嵌まり接触することで、ワインボトルの瓶底のくぼみを支持するものとなっている。このくぼみはワインボトルの瓶底凹部の中心近傍が最も深くなっていて、通常はこの部分に瓶底接触点Ｐが接触支持する。また、瓶底支持部２の先端は外部物体等との接触や引っ掛かり等を避けるために壁面側に巻き込まれるように形成されている。ここで上記先端がゴムキャップ等の弾性部材で覆われていると支持能力がさらに高まる。
【００３２】
ネック支持部３は略円形状の穴を備え、この穴の内側側面に存在するネック接触点Ｎでワインボトルのネック部を支持している。
具体的には、ワインボトルを設置するとそのネック部が重力の影響を受けてネック支持部３の穴の内側側面で接触し支持されるが、そのネック部との接触箇所がネック接触点Ｎである。
実施例１では特にネック接触点Ｎは、壁面に装着されているときにネック支持部３の穴の内側側面で一番低い箇所（最も床に近い箇所）となっている（図１、図２及び図６（１）参照）。
さらに、実施例１では傾いたワインボトルのネック部を適切に保持するため、図１〜図３で示すようにネック支持部３の壁面から遠い側が低くなるように傾かせている。
その結果、ネック接触点Ｎは、ネック支持部３の穴の内側側面の下側の箇所の内、壁面から一番遠い箇所にもなっている。
【００３３】
また、壁面装着部４にはネジ穴５が複数（２〜４カ所位）設けられており、不図示のネジによって壁に装着される。なお、壁との装着はネジによるものでなくてもよく、例えば、接着剤、磁石及びメカ等による脱着ができる構成のもの等如何なる装着機構によっても構わない。
【００３４】
実施例１では壁面装着部４の一方側（上方側）にネック支持部３、他方側（下方側）に瓶底支持部２、これらが一体的に構成されている。また、実施例１では壁面装着部４は壁面と平行に壁面に沿って構成されている。具体的には、壁面装着部４は図１〜図３（特に図２の４の斜線箇所）で示すように長く薄い板状の部材からなり、壁面装着部４の壁面側は壁面と平行な面でネジ等により壁面と密着され、壁面装着部４の壁面と反対側の面、すなわち瓶底支持部を向いた側の面も壁面と平行な面となっている。
このように構成されることで、図１のようにワインボトルが斜めに保持されると瓶底からネック部にかけて広い空間が利用できるようになり、さらに多くの形状のワインボトルが対応可能となる。
実施例１のワインボトル保持具１の材質は耐久性を良好とするために全てステンレス等の金属から構成されているが、弾性部材、木材、ガラスやプラスチック等でも構わない。
【００３５】
このように壁面に装着されたワインボトル保持具１でワインボトルを保持する際には、まずワインボトルのトップ部をネック支持部３の穴にとおし、そのままワインボトルをネック支持部３の上方に持ち上げて、ワインボトルの瓶底が瓶底支持部２の先端に当たる位置に持ってくればよい。
こうすることで、ワインボトルは瓶底支持部２とネック支持部３との２カ所でしっかりと保持されることになる。
ワインボトルのラベルの向きを修正するときは、ワインボトルを回転させて、ラベルを斜下方向に向かせることによって、下方向からラベルが見やすくなる。
【００３６】
また、図６（１）で示すようにネック接触点Ｎと瓶底接触点Ｐを結んだ線と壁面装着時の壁面との角度αは１４度以上かつ６２度以下となるように構成されている。
αがこの範囲であれば、様々な形状のワインボトルを保持することができる。
例えば図６（１）のように中間部が膨らんだワインボトルであっても適切に保持することができる。
αが１４度よりも小さいと、ワインボトルが直立に近く保持されてしまうので、中間部が膨らんだワインボトルの場合には、ワインボトルの側面が壁面装着部に当たってしまい保持することができなくなってしまう（図６（２）の「×」の部分）。
また、このようにαが小さいと上方に設置した場合には、ワインボトルのラベルが見づらくなったり、ワインボトルの瓶底にドーナッツ状のオリが沈殿したりしてしまう。
αが６２度を超えると、瓶底接触部がワインボトルの瓶底から抜けやすくなってしまうため、ワインボトルを適切に保持することができなくなってしまう。また、上方に設置した場合には、ワインボトルが傾き過ぎてラベルが見づらくなってしまう。
さらにはαが２６度以上かつ５０度以下となるように構成されているとネック支持部と瓶底支持部との両者でバランスよくワインボトルを支持することができるので、よりしっかりと安定的にワインボトルを保持することができ望ましい。
【００３７】
次にネック接触点と瓶底接触点との最短距離Ｌの最適な範囲を説明する。
ここで、ワインボトルには、前述のとおり図４で示すように様々な形状のものが存在するが、ワインボトルのネック接触点と接触する箇所から、瓶底接触点と接触する箇所までの長さ、すなわちワインボトル保持具におけるＬに相当する長さ、で上記殆どのワインボトルの形状に対応する長さの内、最短のものをＬ１，最長のものをＬ２とすると、通常サイズ（７５０ｍｌ）のワインボトルでは、Ｌ１は１６０ｍｍ、Ｌ２は２２０ｍｍである。これは例えば、Ｌ１は図４のｄ）ボルドー型ワインボトルによって、Ｌ２は図４のｂ）ボックステイル型ワインボトルによって導出される。
つまり、１６０ｍｍ≦Ｌ≦２２０ｍｍ（条件式（１））であれば、通常サイズの様々な形状のワインボトルに対応させることが可能となる。さらに、１７５ｍｍ≦Ｌ≦２０５ｍｍ（条件式（１’））だと、無理のない適切な長さとなるので、より安定的にワインボトルを保持することができる。
また、瓶底接触点と前記壁面装着部との最短距離をＴとすると、通常サイズのワインボトルでは、５０ｍｍ≦Ｔ≦８０ｍｍ（条件式（２））であることが望ましい。
Ｔが５０ｍｍよりも小さいと瓶底が壁面に当たってワインボトルを配置できないことがある。また、Ｔが８０ｍｍよりも大きいと、ワインボトルの瓶底と壁面との間隔が広がり過ぎてしまい、無駄な空間ができたり、瓶底が目立ってしまったり、適切なディスプレイができなくなってしまう。
さらに、５５ｍｍ≦Ｔ≦７０ｍｍ（条件式（２’））だと、瓶底と壁面との距離が無理のない適切な長さとなるので、ワインボトルを設置する作業がさらに行いやすくなる。
【００３８】
また、ネック支持部に設けられた略円形状の穴Ｄの直径の範囲は６０ｍｍ≦Ｄ≦１００ｍｍ（条件式（３））が望ましい。Ｄが６０ｍｍよりも小さいと形状によってはワインボトルのネック部を通す際の作業性が悪くなる。また、Ｄが１００ｍｍを超えるとネック部の支持が緩くなり、振動等による影響を受けやすくなる。
さらに、７０ｍｍ≦Ｄ≦９０ｍｍ（条件式（３’））だと、適度な穴の大きさとなりワインボトルのネック部をより適切に保持することができるので望ましい。
【００３９】
なお、ワインボトルのサイズは通常サイズ（７５０ｍｌ）以外にも、1/4倍サイズ、1/2倍サイズ、２倍サイズ・・・２０倍サイズと様々なサイズがあるが、サイズが異なったとしてもワインボトルの形状は同じである。
すなわち、同一デザインのワインボトルであれば、ワインボトルのサイズが異なるとワインボトルの高さや瓶底の幅等が変わるものの、それらの比率は同じである。これについては、異なったサイズに対応した最適なＬ、Ｔ及びＤの範囲に関しても同様に両者の比率は変わらない。
ここで、相似形のワインボトルの長さの比１：ｓとすると体積の比は１：ｓ３なので、体積の比が１：ｎの場合には、ｓ＝３√ｎとなる。
（例えば、体積の比が１：２の場合には、ｓ＝３√２≒１．２６になる）
よって、Ｌ（ｍｍ）、Ｔ（ｍｍ）及びＤ（ｍｍ）に相当するサイズの異なったワインボトルに対応した長さをそれぞれＬｎ（ｍｍ）、Ｔｎ（ｍｍ）及びＤｎ（ｍｍ）とすると、これらの範囲は、上記条件式（１）、（２）及び（３）より、以下条件式（４）、（５）、（６）及び（７）で示される。
ｓ＝３√ｎ                     ・・・（４）
１６０×ｓ≦Ｌｎ≦２２０×ｓ  ・・・（５）
５０×ｓ≦Ｔｎ≦８０×ｓ      ・・・（６）
６０×ｓ≦Ｄｎ≦１００×ｓ    ・・・（７）
但し、
ｎ：通常サイズ（７５０ｍｌ）を１とした時のワインボトルのサイズ、
ｓ：自然数、
である。
一般的なワインボトルのサイズは、ｎ＝1/4,1/2,１,２,・・・Ｎである。すなわち、1/4倍サイズはｎ＝1/4、1/2倍サイズはｎ＝1/2、通常サイズ（７５０ｍｌ）はｎ＝１、・・・となり、最大サイズはｎ＝Ｎである。現在のところ最大サイズは３０倍、すなわちｎ＝Ｎ＝３０のワインボトルが知られている。
よって、上記条件式を満足させることで、通常サイズだけでなく、殆どのワインボトルのサイズに対しても対応させることができるようになる。
また、上記に加えてさらに安定的な保持と作業を行いやすくするためには、上記条件式（４）、（１’）、（２’）及び（３’）より、以下条件式（４）、（５’）、（６’）及び（７’）を満足させることが望ましい。
ｓ＝３√ｎ                     ・・・（４）
１７５×ｓ≦Ｌｎ≦２０５×ｓ  ・・・（５’）
５５×ｓ≦Ｔｎ≦７０×ｓ      ・・・（６’）
７０×ｓ≦Ｄｎ≦９０×ｓ      ・・・（７’）
但し、
ｎ：通常サイズ（７５０ｍｌ）を１とした時のワインボトルのサイズ、
ｓ：自然数、
である。
【実施例２】
【００４０】
図９は本発明の実施例２の概略構成図である。ただし、説明しやすいようにワインボトル保持部やその他説明に不要な箇所は省略している。なお、特に説明のない箇所については、従来のもの及び実施例１と同様の構成及び作用である。
図９で示すように瓶底支持部２と壁面装着部４の間の引っ掛かり部６に札７等を引っ掛けるようにしてもよい。ここで札の材質はメラミン化粧板であることが望ましい。
ワインボトルに貼り付けられたラベルと違って、札にはワインメーカー以外の者による書き込みが可能である。例えば、店舗価格や品質説明等の書き込みができる。また、引っ掛かり部６があることによって札を配置する棚等は不要となる。
【符号の説明】
【００４１】
１    ワインボトル保持具
２    瓶底支持部
３    ネック支持部
４    壁面装着部
５    ネジ穴
６    引っ掛け部
７    札
８    従来のワインボトル保持具（引用文献１）
９    従来のワインボトルホルダー（引用文献２）
１０   床に一番近い棚
１１   床から2番目に近い棚
１２   床から3番目に近い棚
１３   床から4番目に近い棚
１４   天井近くのスペース部分
１５   ワインボトルの凹部
１６   オリ
Ｐ    ワインボトルの瓶底との接触箇所（瓶底接触点）
Ｎ    ワインボトルのネック部との接触箇所（ネック接触点）
Ｌ    ネック接触点と瓶底接触点との最短距離
Ｄ    ネック支持部にある略円形状の穴の直径
Ｔ    瓶底接触点と壁面装着部との最短距離
α    ネック接触点と瓶底接触点とを結んだ線と、壁面との交差角度
Ｌ１  通常サイズの様々なワインボトルに対応したＬの内、最短のもの
Ｌ２  通常サイズの様々なワインボトルに対応したＬの内、最長のもの
【図１】
2019154876.tif 000003
【図２】
2019154876.tif 000004
【図３】
2019154876.tif 000005
【図４】
2019154876.tif 000006
【図５】
2019154876.tif 000007
【図６】
2019154876.tif 000008
【図７】
2019154876.tif 000009
【図８】
2019154876.tif 000010
【図９】
2019154876.tif 000011
【図１０】
2019154876.tif 000012
【図１１】
2019154876.tif 000013
【図１２】
2019154876.tif 000014
【図１３】
2019154876.tif 000015
【図１４】
2019154876.tif 000016
【手続補正書】
【提出日】平成30年10月30日(2018.10.30)
【手続補正１】
【補正対象書類名】特許請求の範囲
【補正対象項目名】全文
【補正方法】変更
【補正の内容】
【特許請求の範囲】
【請求項１】
ワインボトルを保持するワインボトル保持具であって、ワインボトルのネック部を支持するネック支持部と、ワインボトルの瓶底のくぼみを支持する瓶底支持部と、壁面に装着可能な壁面装着部とを備え、ネック部が瓶底よりも壁面から離れるようにワインボトルを壁面に対して斜めに保持し、前記ネック支持部のワインボトルに接触するネック接触点と前記瓶底支持部のワインボトルに接触する瓶底接触点とを結んだ線と、壁面装着時の壁面との交差角度αは、１４度以上かつ６２度以下となるように構成され、前記ネック支持部はワインボトルのネック部を通すことができる略円形状の穴を備え、前記ネック接触点と前記瓶底接触点との最短距離をＬ（ｍｍ）、前記穴の直径をＤ（ｍｍ）とするとき、以下の条件式（１）及び（３）を満足することを特徴とするワインボトル保持具。
１６０≦Ｌ≦２２０  ・・・（１）
６０≦Ｄ≦１００    ・・・（３）
【請求項２】
前記瓶底接触点と前記壁面装着部との最短距離をＴ（ｍｍ）とするとき、以下の条件式（２）を満足することを特徴とする請求項１に記載のワインボトル保持具。
５０≦Ｔ≦８０    ・・・（２）
【請求項３】
ワインボトルを保持するワインボトル保持具であって、ワインボトルのネック部を支持するネック支持部と、ワインボトルの瓶底のくぼみを支持する瓶底支持部と、壁面に装着可能な壁面装着部とを備え、ネック部が瓶底よりも壁面から離れるようにワインボトルを壁面に対して斜めに保持し、前記ネック支持部のワインボトルに接触するネック接触点と前記瓶底支持部のワインボトルに接触する瓶底接触点とを結んだ線と、壁面装着時の壁面との交差角度αは、１４度以上かつ６２度以下となるように構成され、前記ネック支持部はワインボトルのネック部を通すことができる略円形状の穴を備え、前記ネック接触点と前記瓶底接触点との最短距離をＬｎ（ｍｍ）、前記瓶底接触点と前記壁面装着部との最短距離をＴｎ（ｍｍ）、前記穴の直径をＤｎ（ｍｍ）とするとき、以下の条件式（４）、（５）、（６）及び（７）を満足することを特徴とするワインボトル保持具。
ｓ＝３√ｎ                     ・・・（４）
１６０×ｓ≦Ｌｎ≦２２０×ｓ  ・・・（５）
５０×ｓ≦Ｔｎ≦８０×ｓ      ・・・（６）
６０×ｓ≦Ｄｎ≦１００×ｓ    ・・・（７）
但し、
ｎ：通常サイズ（７５０ｍｌ）を１とした時のワインボトルのサイズ、
ｓ：自然数、
である。